(57)【要約】【課題】有用な健康支援情報を提示する電子機器、健康支援システム及び健康支援方法を提供する。【解決手段】生体センサ１１と、ユーザの行動記録と行動記録に係る前後の時間において生体センサ１１が測定した生体情報とを対応付けたログを記録する記録部１４と、生体センサ１１が測定した生体情報に基づき、ログを参照して、行動アドバイスを提示する制御部１６とを備える。【選択図】図１
2015210539.tif 000002
【特許請求の範囲】
【請求項１】
生体センサと、
ユーザの行動記録と、該行動記録に係る前後の時間において前記生体センサが測定した生体情報とを対応付けたログを記録する記録部と、
前記生体センサが測定した生体情報に基づき、前記ログを参照して、行動アドバイスを提示する制御部と
を備える電子機器。
【請求項２】
前記生体センサは血流センサであり、
前記ログは、前記行動記録と、該行動記録に係る前後の時間において前記血流センサが測定した血流情報とを対応付けたログであり、
前記制御部は、前記血流情報に基づく血流状態を改善又は維持する行動アドバイスを提示する、請求項１に記載の電子機器。
【請求項３】
前記行動記録は、食事に関する情報及び運動に関する情報の少なくとも一方を含む、請求項１に記載の電子機器。
【請求項４】
前記ユーザの行動予定を記憶する記憶部をさらに備え、
前記制御部は、前記行動予定に関する前記行動アドバイスを提示する、請求項１に記載の電子機器。
【請求項５】
生体センサを備える測定端末と、
行動に関する行動記録と、該行動記録に係る前後の時間において前記生体センサが測定した生体情報とを対応付けたログを記録する記録部、及び、前記生体センサが測定した生体情報に基づき、前記ログを参照して、行動アドバイスを提示する制御部を備えるサーバと
を含む健康支援システム。
【請求項６】
生体センサにより生体情報を測定するステップと、
記録部により、ユーザに関する行動記録と、該行動記録に係る前後の時間における前記生体情報とを対応付けたログを記録するステップと、
制御部により、測定された生体情報に基づき、前記ログを参照して、行動アドバイスを提示するステップと
を含む健康支援方法。
【発明の詳細な説明】
【技術分野】
【０００１】
本発明は、電子機器、健康支援システム及び健康支援方法に関する。
【０００２】
従来、様々な方法でユーザの健康を支援する装置が知られている。例えば、特許文献１には、ユーザの食生活に関連する情報に基づいて、食生活を改善するアドバイスを提示する食生活改善支援装置が記載されている。また、例えば、特許文献２には、ユーザの個人情報及び健康診断の診断データに基づきアドバイスを通知するアドバイス装置が知られている。また、例えば、特許文献３には、健康管理用ソフトウェアを用いて生体情報に付いての統計処理を行い、処理結果に応じた評価を出力する健康管理用情報機器が記載されている。
【先行技術文献】
【特許文献】
【０００３】
【特許文献１】特開２００３−０８５２８９号公報
【特許文献２】特開２００２−１４９８３０号公報
【特許文献３】特開平１０−５５３９８号公報
【発明の概要】
【発明が解決しようとする課題】
【０００４】
従来知られている装置は、ユーザの生活習慣や生体情報等に基づいて評価又はアドバイスを提示するものである。しかし、生体情報は、ユーザの行動の内容及び程度等に基づく影響を受け、生体情報を測定する前のユーザの行動によって、測定結果としての生体情報が変化する場合がある。そのため、健康支援装置は、生体情報を、ユーザの行動と対応付けて記録することにより、ユーザの生体情報を改善又は維持するために、より適切なアドバイスを提示しやすくなる。また、このようにして提示されたアドバイスは、ユーザにとっても有用性が高い。
【０００５】
かかる観点に鑑みてなされた本発明の目的は、有用な健康支援情報を提示する電子機器、健康支援システム及び健康支援方法を提供することにある。
【課題を解決するための手段】
【０００６】
上記目的を達成する本発明に係る電子機器は、
生体センサと、
ユーザの行動記録と、該行動記録に係る前後の時間において前記生体センサが測定した生体情報とを対応付けたログを記録する記録部と、
前記生体センサが測定した生体情報に基づき、前記ログを参照して、行動アドバイスを提示する制御部とを備える。
【０００７】
前記生体センサは血流センサであり、
前記ログは、前記行動記録と、該行動記録に係る前後の時間において前記血流センサが測定した血流情報とを対応付けたログであり、
前記制御部は、前記血流情報に基づく血流状態を改善又は維持する行動アドバイスを提示してもよい。
【０００８】
前記行動記録は、食事に関する情報及び運動に関する情報の少なくとも一方を含んでいてもよい。
【０００９】
前記ユーザの行動予定を記憶する記憶部をさらに備え、
前記制御部は、前記行動予定に関する前記行動アドバイスを提示してもよい。
【００１０】
上述したように本発明の解決手段を機器として説明してきたが、本発明はこれらに実質的に相当するシステム及び方法としても実現し得るものであり、本発明の範囲にはこれらも包含されるものと理解されたい。
【００１１】
例えば、本発明に係る健康支援システムは、
生体センサを備える測定端末と、
行動に関する行動記録と、該行動記録に係る前後の時間において前記生体センサが測定した生体情報とを対応付けたログを記録する記録部、及び、前記生体センサが測定した生体情報に基づき、前記ログを参照して、行動アドバイスを提示する制御部を備えるサーバとを含む。
【００１２】
また、本発明に係る健康支援方法は、
生体センサにより生体情報を測定するステップと、
記録部により、ユーザに関する行動記録と、該行動記録に係る前後の時間における前記生体情報とを対応付けたログを記録するステップと、
制御部により、測定された生体情報に基づき、前記ログを参照して、行動アドバイスを提示するステップとを含む。
【発明の効果】
【００１３】
上記のように構成された本発明に係る電子機器、健康支援システム及び健康支援方法によれば、有用な健康支援情報を提示できる。
【図面の簡単な説明】
【００１４】
【図１】本発明の一実施の形態に係る電子機器の概略構成を示すブロック図である。
【図２】血流センサを実装した電子機器の一例を示す外観図である。
【図３】図１の電子機器におけるログの記録処理の一例を示すフローチャートである。
【図４】図１の電子機器におけるログの記録処理の一例を示すフローチャートである。
【図５】本発明をシステムとして実現した場合における測定端末とサーバとの概略構成の一例を示すブロック図である。
【発明を実施するための形態】
【００１５】
以下、本発明の実施の形態について、図を参照して説明する。
【００１６】
図１は、本発明の一実施の形態に係る電子機器の概略構成を示すブロック図である。電子機器１０は、例えば、携帯電話機により構成できる。電子機器１０は、図１に示すように、例えば、血流センサ１１と、表示部１２と、入力部１３と、記録部１４と、記憶部１５と、制御部１６とを備える。
【００１７】
ユーザは、電子機器１０を使用して、ユーザの行動に関する行動記録を電子機器１０に入力する。また、ユーザは、電子機器１０が備える血流センサ１１を使用して、入力する行動記録に係る前後の時間における血流情報を測定する。電子機器１０は、行動記録と、その前後の時間における血流情報とを対応付けたログ（記録を残したデータ）を生成し、記録部１４に記録する。ユーザは、これを繰り返して、ログを記録部１４に蓄積させる。そして、ユーザが、ある行動を行う前に、血流センサ１１を使用して血流情報を測定したとき、電子機器１０は、測定した最新の血流情報に基づき、ログを参照して、血流情報に関する行動アドバイスを、ユーザに提示する。
【００１８】
なお、血流センサ１１は、生体センサの一例である。生体センサは、生体情報を測定可能な任意のセンサとすることができる。本実施の形態では、図１に示すように、生体センサである血流センサ１１が、生体情報として血流情報を測定する場合について説明する。従って、本実施の形態における電子機器１０は、血流状態を改善又は維持する行動アドバイスをユーザに提示する。
【００１９】
本実施形態の血流センサ１１は、レーザ光の入射光を皮膚などの被検知部位に照射する。そして、血流センサ１１は、静止した生体組織から散乱し、ドップラーシフトを起こしていない散乱光と、血液により散乱してドップラーシフトを起こした散乱光とを受光する。その後、血流センサ１１は、ドップラーシフトを起こしていない散乱光と、ドップラーシフトを起こした散乱光との間の干渉によるうなりを検知して、血流量を求める。
【００２０】
ここで、ドップラーシフトを利用した血流量測定技術について説明する。ドップラーシフトを利用した血流センサ１１は、生体の組織内に照射するレーザ光を照射する照射部と、生体の組織内から散乱された散乱光を受光する受光部と、受光されたレーザ光の測定結果に基づいて血流量を演算する測定部とを備える。照射部は、例えばレーザダイオードにより構成され、受光部はフォトダイオードにより構成される。
【００２１】
照射部が生体の組織内にレーザ光を照射したとき、動いている血球から散乱された散乱光は、血液中の血球の移動速度に比例したドップラー効果による周波数シフト（ドップラーシフト）を受ける。測定部は、静止した組織からの散乱光と、動いている血球からの散乱光との光の干渉によって生じるうなり信号（ビート信号ともいう）を検出する。このうなり信号は、強度を時間の関数として表したものである。そして、測定部は、このうなり信号を、パワーを周波数の関数として表したパワースペクトルにする。このうなり信号のパワースペクトルでは、ドップラーシフト周波数は血球の速度に比例し、パワーは血球の量に対応する。そして、測定部は、うなり信号のパワースペクトルに周波数をかけて積分することにより血流量を求める。
【００２２】
記録部１４が記録する行動記録は、任意の行動に関する記録とすることができるが、本明細書においては、一例として、食事及び運動に関する行動の行動記録を取り上げて説明する。従って、本明細書においては、ユーザが食事及び運動の内容及び程度等に関する行動記録を電子機器１０に入力する場合について説明する。
【００２３】
血流センサ１１は、例えば、照射部と受光部とを有する。照射部は、ユーザの血流検出部位に測定光を照射する。照射部は、例えば、血液中に含まれる所定の成分を検出可能な波長のレーザ光を測定光として照射するレーザ光源であり、例えばＬＤ（レーザダイオード：Laser Diode）により構成される。また、受光部は、照射部が血流検出部位に測定光を照射することによって、血流検出部位から反射される反射光（検出光）を受光する。受光部は、ＰＤ（フォトダイオード：Photo Diode）により構成される。
【００２４】
図２は、血流センサ１１を実装した電子機器１０の一例を示す外観図である。電子機器１０である携帯電話機は、例えば図２（ａ）に示すように、背面に血流センサ１１を備える。ユーザは、例えば図２（ｂ）に示すように、手の指の腹の部分を血流センサ１１に押し当てることにより、血流の測定を行う。
【００２５】
図１において、表示部１２は、液晶ディスプレイ、有機ＥＬディスプレイ、又は無機ＥＬディスプレイ等の表示デバイスである。表示部１２は、例えば、血流センサ１１が測定した血流情報に基づく血流状態を表示する。具体的には、表示部１２は、例えば血流量に関する数値を表示する。また、表示部１２は、例えば血流センサ１１が測定した血流情報の値に基づいて、所定の閾値を基準にして、血流が「さらさら」であるか、「少しどろどろ」であるか、又は「どろどろ」であるかを表示する。このように、表示部１２は、血流状態を、文字、画像、数値等により表示する。また、表示部１２は、制御部１６が算出した行動アドバイスを、例えば文章によって表示する。ここで、血流が「どろどろ」であるとは、血液の粘度が高い状態をいい、血流が「さらさら」であるとは、血液の粘度が低い状態をいう。
【００２６】
入力部１３は、ユーザからの操作入力を受け付けるものであり、例えば、操作ボタン（操作キー）から構成される。なお、入力部１３をタッチパネルにより構成し、表示部１２の一部にユーザからの操作入力を受け付ける入力部１３を表示して、ユーザによるタッチ操作入力を受け付けてもよい。ユーザは、入力部１３を使用して、例えば、行動記録を入力する。ユーザが入力する行動記録及び行動予定の詳細については、後述する。
【００２７】
また、入力部１３は、ユーザが行動予定を入力するために使用される。ユーザは、例えば、食事や運動等の行動予定を、その予定時間と共に入力する。ユーザは、運動の行動予定について、具体的な運動の内容を行動予定として入力してもよい。
【００２８】
また、ユーザは、入力部１３を使用して、例えば、ユーザの年齢、身長及び体重等の健康管理を行うために必要な情報を入力できる。
【００２９】
記録部１４は、ユーザの行動記録と、該行動記録に係る前後の時間において生体センサが測定した生体情報とを対応付けたログを記録する。本実施の形態においては、記録部１４は、特に、行動記録と、血流センサ１１が測定した血流情報とを対応付けたログを記録する。
【００３０】
記憶部１５は、例えば半導体メモリ等で構成でき、各種情報や電子機器１０を動作させるためのプログラム等を記憶する。記憶部１５は、例えば、ユーザが入力した行動予定を記憶する。また、記憶部１５は、ユーザが入力した健康管理を行うために必要な情報を記憶する。なお、記憶部１５は、上述した記録部１４の機能を包含していても良い。すなわち、この場合には、記録部１４と記憶部１５とは、一体として構成される。
【００３１】
制御部１６は、電子機器１０の全体の動作を制御するプロセッサである。制御部１６は、例えば、血流センサ１１が最新の血流状態を測定したとき、かかる最新の血流状態に基づき、記録部１４に記録されたログを参照して、表示部１２を介して、血流状態を改善又は維持する行動アドバイスをユーザに提示する。このとき、制御部１６は、特に、記憶部１５に記憶されたユーザの行動予定に関する行動アドバイスを提示してもよい。つまり、制御部１６は、例えば、記憶部１５に記憶されたユーザの行動予定において、推奨される行動の内容を提示してもよい。
【００３２】
次に、ユーザが入力部１３を使用して入力する行動記録について説明する。ユーザは、食事に関する行動記録として、例えば、食事内容及び食事時間等の食事に関する情報を入力する。食事内容は、例えば、食事により摂取した食材、食材の調理方法及び食材の分量等、摂取した具体的な食事の内容である。
【００３３】
食事内容の入力は、種々の方法により行うことができる。例えば、ユーザは、表示部１２に表示された献立に関するリスト（献立リスト）から、食事を行った献立を選択することにより、食事内容を入力できる。献立リストは、例えば「ビーフカレー」、「ハンバーグ」及び「秋刀魚の塩焼き」等の具体的な献立名により構成される。献立リストは、例えば、予め記憶部１５に記憶されている。ユーザが献立リストから献立を選択することにより情報を入力した場合、制御部１６は、記憶部１５に記憶された献立に使用される食材、調理方法及び１人分の食材の分量を、食事内容の行動記録として受け付ける。このようにして、ユーザは、簡単に行動記録を入力できる。
【００３４】
また、ユーザは、例えば、食材ごとに表示部１２の表示に従って選択することにより、食事内容を入力できる。具体的には、例えば、ユーザは、まず入力部１３を操作することにより、表示部１２に食材のリスト（食材リスト）を表示させる。食材リストは、例えば「にんじん」、「鶏卵」及び「秋刀魚」等の食材名により構成される。ユーザは、入力部１３を使用して、表示された食材リストから、食事により摂取した食材を選択する。すると、制御部１６は、表示部１２に、調理方法に関するリスト（調理方法リスト）を表示させる。調理方法リストは、例えば「焼く」、「煮る」及び「蒸す」等の調理方法の名称から構成される。ユーザは、入力部１３を使用して、選択した食材の調理方法を選択する。すると、制御部１６は、表示部１２に、食材の分量に関するリスト（分量方法リスト）を表示させる。分量リストは、例えば「Ｘ個」、「大さじＸ」及び「Ｘグラム」等の分量を示す単位により構成される。ユーザは、入力部１３を使用して、分量リストから単位を選択すると共に、Ｘに当てはまる数を入力することにより、食材の分量を入力する。ユーザは、この入力操作を食材ごとに行うことにより、食事に関する情報を電子機器１０に入力する。このようにして、ユーザは、正確な食事の情報を行動記録として入力できる。
【００３５】
また、ユーザは、種々の方法により食事の時間を電子機器１０に入力できる。例えば、ユーザは、入力部１３を使用して食事の開始時間及び終了時間を入力できる。また、例えば、ユーザは、食事を開始するときに、食事開始を通知する入力を行い、食事を終了したときに、食事終了を通知する入力を行うことにより、食事の時間を入力できる。食事開始を通知する入力は、例えば、食事を開始するときに、タッチパネルとして構成された電子機器１０の入力部１３に表示された「食事開始」ボタンをタップすることにより、電子機器１０が有する時計機能を利用して行うことができる。これは、食事終了を通知する入力についても同様である。制御部１６は、このようにして入力された食事の時間に関する情報を、食事内容と対応付けて、食事に関する行動記録として受け付ける。
【００３６】
電子機器１０は、ユーザにより入力された食事に関する行動記録に加え、当該行動記録に係る前後の時間において血流センサ１１が血流情報を測定した場合に、行動記録と血流情報に基づく血流状態とを対応付けたログを生成し、記録部１４に記録してもよい。すなわち、電子機器１０は、行動記録に係る前後の時間において血流情報が測定されない場合には、ログを記録しなくてもよい。このように、電子機器１０は、行動記録と血流状態とが対応付けられたログを蓄積することにより、血流状態の変化とその原因となる行動との関係を分析しやすくなる。
【００３７】
また、ユーザは、食事に関する行動記録と同様の方法により、入力部１３を用いて、運動に関する行動記録を入力できる。具体的には、運動に関する行動記録は、運動の内容及び運動の程度を含む。運動の内容は、例えば、「ランニング」及び「フットサル」等の具体的な運動である。また、運動の程度は、運動を行った時間等である。運動を行った時間は、例えば、ユーザが「Ｘ分間」等の具体的な数値を入力してもよく、また、ユーザが運動の開始時間及び終了時間を入力することにより、制御部１６が算出してもよい。また、例えば運動の内容が「ランニング」であった場合、運動の程度は、走った距離等であってもよい。電子機器１０は、入力された運動に関する行動記録に加え、当該行動記録に係る前後の時間において血流センサ１１が血流情報を測定した場合に、行動記録と血流情報に基づく血流状態とを対応付けたログを記録部１４に記録してもよい。
【００３８】
本実施の形態において、運動に関する行動記録は、さらに、給水に関する情報を含んでいてもよい。給水に関する情報は、行動記録に係る運動中及び運動後において、ユーザが摂取した水分量である。本実施の形態において生体情報として測定される血流情報は、給水状況によって影響されるため、給水に関する情報を行動記録に含めることにより、電子機器１０は、ユーザにとってより適切なアドバイスを提示できる。
【００３９】
次に、ログの記録処理について説明する。図３は、図１の電子機器１０におけるログの記録処理の一例を示すフローチャートである。図３は、ユーザが行動として食事を行った場合のログの記録処理を示すフローである。
【００４０】
まず、血流センサ１１がユーザの第１の血流状態を測定する（ステップＳ１０１）。第１の血流状態は、ユーザが食事を行う前の血流状態を示す情報である。
【００４１】
血流センサ１１が第１の血流状態を測定した後、制御部１６は、第１の血流状態の測定から第１の所定時間内に、ユーザにより行動記録が入力されたか否かを監視する（ステップＳ１０２）。ユーザは、例えば、食事を摂る前又は食事を摂った後に、入力部１３を使用して行動記録を入力する。第１の所定時間内にユーザが食事に関する行動記録を入力したとき、制御部１６は、食事に関する行動記録を認識する（ステップＳ１０２のＹｅｓ）。そして、このフローは、ステップＳ１０５に進む。
【００４２】
一方、制御部１６は、第１の所定時間内に行動記録が入力されていないと判断したとき（ステップＳ１０２のＮｏ）、リマインダとして表示部１２に行動記録の入力を促す入力要求を表示する（ステップＳ１０３）。そして、制御部１６は、第１の血流状態の測定から第２の所定時間内に、ユーザにより行動記録が入力されたか否かを監視する（ステップＳ１０４）。第２の所定時間は、第１の所定時間よりも長い。
【００４３】
第２の所定時間内にユーザが食事に関する行動記録を入力したとき、制御部１６は、食事に関する行動記録を認識する（ステップＳ１０４のＹｅｓ）。そして、このフローは、ステップＳ１０５に進む。
【００４４】
第２の所定時間内に行動記録が入力されないとき（ステップＳ１０４のＮｏ）、制御部１６は、測定された第１の血流状態をログとして記録しないことを決定する（ステップＳ１０９）。この場合、制御部１６は、このフローを終了する。
【００４５】
第１の血流状態が測定されてから第１又は第２の所定時間内に行動記録が入力されたとき（ステップＳ１０２のＹｅｓ又はステップＳ１０４のＹｅｓ）、制御部１６は、行動記録として入力された食事終了時間から第３の所定時間内に、第２の血流状態が測定されたか否かを監視する（ステップＳ１０５）。第２の血流状態は、ユーザが食事を行った後の血流状態である。従って、第２の血流状態は、ユーザの食事内容に応じて変化する。
【００４６】
ユーザが食事を終了してから、第３の所定時間内に、血流センサ１１が血流状態を測定したとき、制御部１６は、第２の血流状態が測定されたと判断する（ステップＳ１０５のＹｅｓ）。そして、このフローは、ステップＳ１０８に進む。
【００４７】
一方、制御部１６は、第３の所定時間内に第２の血流状態が測定されていないと判断したとき（ステップＳ１０５のＮｏ）、リマインダとして表示部１２に第２の血流状態の測定を促す測定要求を表示する（ステップＳ１０６）。そして、制御部１６は、ユーザが食事を終了してから第４の所定時間内に、第２の血流状態が測定されたか否かを監視する（ステップＳ１０７）。第４の所定時間は、第３の所定時間よりも長い。
【００４８】
第４の所定時間内に、血流センサ１１が第２の血流状態を測定したとき、制御部１６は、第２の血流状態が測定されたと認識する（ステップＳ１０７のＹｅｓ）。そして、このフローは、ステップＳ１０８に進む。
【００４９】
一方、第４の所定時間内に第２の血流状態が測定されないとき（ステップＳ１０７のＮｏ）、制御部１６は、測定された第１の血流状態をログとして記録しないことを決定する（ステップＳ１０９）。この場合、制御部１６は、このフローを終了する。
【００５０】
ユーザが食事を終了してから第３又は第４の所定時間内に第２の血流状態が測定されたとき（ステップＳ１０５のＹｅｓ又はステップＳ１０７のＹｅｓ）、制御部１６は、第１の血流状態及び第２の血流状態と、行動記録とを対応付けて、ログとして記録部１４に記録する（ステップＳ１０８）。
【００５１】
電子機器１０は、上述のように、行動記録とその前後における血流状態とに関する情報が集まった場合に、行動記録と血流状態の変化とを対応付けて、ログとして記録を行う。こうすることで、電子機器１０は、血流状態の変化とその原因となる行動との関係についてのログを収集できる。また、血流状態の変化の度合いは、ユーザによって異なるため、このようにログを収集することで、電子機器１０は、特定のユーザの傾向に基づいた行動アドバイスを提示できる。
【００５２】
ここで、制御部１６が提示する行動アドバイスについて説明する。ユーザは、食事を行う場合、電子機器１０を使用して血流状態を測定する。これにより、電子機器１０は、上述の図３において説明したフローを繰り返し、記録部１４にログを蓄積する。このようにして、記録部１４にログが蓄積された状態において、ユーザが、食事を行う前に血流状態を測定したとする。また、血流状態を測定した次の行動予定として、予めユーザが電子機器１０に入力することにより、食事を行うことが記憶部１５に記憶されているとする。このとき、制御部１６は、測定した最新の血流状態に基づき、記録部１４に蓄積されたログを参照して、血流状態を改善又は維持する行動アドバイスを提示する。
【００５３】
例えば、記録部１４に記録されたログにおいて、肉類を摂取した場合、食事前に「少しどろどろ」であった血流状態は、食事後に「少しどろどろ」のままであるという傾向があるとする。また、魚類を摂取した場合、食事前に「少しどろどろ」であった血流状態は、食事後に「さらさら」になる傾向があるとする。このようなログが記録された状態において、ユーザが最新の血流状態を測定した結果、血流状態が「少しどろどろ」であったとする。このとき、制御部１６は、例えば、血流状態を「少しどろどろ」から「さらさら」に改善するための行動アドバイスを提示する。制御部１６は、具体的には、「現在の血流状態は、少しどろどろです。食事は、魚を中心に行うことを推奨します。」等のように、魚を推奨する行動アドバイスを提示する。
【００５４】
また、調理法によって血流状態の変化が異なる場合がある。従って、制御部１６は、行動アドバイスにおいて、推奨する調理法を提示してもよい。例えば、記録部１４に記録されたログにおいて、「焼く」という調理が行われた肉類を摂取した場合、食事前に「少しどろどろ」であった血流状態が、食事後に「どろどろ」に変化する傾向があるとする。また、「煮る」又は「蒸す」という調理が行われた肉類を摂取した場合、食事前に「少しどろどろ」であった血流状態が、食事後においても「少しどろどろ」の状態のままである傾向があるとする。このようなログが記録された状態において、ユーザが最新の血流状態を測定した結果、血流状態が「少しどろどろ」であったとする。このとき、制御部１６は、例えば、血流状態が「少しどろどろ」から「どろどろ」に悪化しないように、現在の血流状態を維持するための行動アドバイスを提示する。制御部１６は、具体的には、「現在の血流状態は、少しどろどろです。食事は、肉類であれば、『煮る』又は『蒸す』ことを推奨します。」等のように、血流状態が悪化しにくい調理法を推奨する行動アドバイスを提示する。
【００５５】
また、食材が肉類又は魚類等の場合、食材の部位によって血流状態の変化が異なる場合がある。従って、制御部１６は、行動アドバイスにおいて、推奨する部位を提示してもよい。ここで、豚肉を摂取する場合を一例として説明する。例えば、記録部１４に記録されたログにおいて、「バラ」を摂取した場合、食事前に「少しどろどろ」であった血流状態が、食事後に「どろどろ」に変化する傾向があるとする。また、「ヒレ」を摂取した場合、食事前に「少しどろどろ」であった血流状態が、食事後においても「少しどろどろ」の状態のままである傾向があるとする。このようなログが記録された状態において、ユーザが最新の血流状態を測定した結果、血流状態が「少しどろどろ」であったとする。このとき、制御部１６は、例えば、血流状態が「少しどろどろ」から「どろどろ」に悪化しないように、現在の血流状態を維持するための行動アドバイスを提示する。制御部１６は、具体的には、「現在の血流状態は、少しどろどろです。食事は、豚肉であれば、『ヒレ』を推奨します。」等のように、血流状態が悪化しにくい部位を推奨する行動アドバイスを提示する。
【００５６】
次に、ユーザが運動を行った場合のログの記録処理について説明する。図４は、図１の電子機器１０におけるログの記録処理の一例を示すフローチャートである。
【００５７】
まず、血流センサ１１がユーザの第１の血流状態を測定する（ステップＳ２０１）。第１の血流状態は、ユーザが運動を行う前の血流状態を示す情報である。
【００５８】
血流センサ１１が第１の血流状態を測定した後、制御部１６は、第１の血流状態の測定から第１の所定時間内に、ユーザにより行動記録が入力されたか否かを監視する（ステップＳ２０２）。第１の所定時間内にユーザが運動に関する行動記録を入力したとき、制御部１６は、運動に関する行動記録を認識する（ステップＳ２０２のＹｅｓ）。そして、このフローは、ステップＳ２０５に進む。
【００５９】
一方、制御部１６は、第１の所定時間内に行動記録が入力されていないと判断したとき（ステップＳ２０２のＮｏ）、リマインダとして表示部１２に行動記録の入力を促す入力要求を表示する（ステップＳ２０３）。そして、制御部１６は、第１の血流状態の測定から第２の所定時間内に、ユーザにより行動記録が入力されたか否かを監視する（ステップＳ２０４）。第２の所定時間は、第１の所定時間よりも長い。
【００６０】
第２の所定時間内にユーザが運動に関する行動記録を入力したとき、制御部１６は、運動に関する行動記録を認識する（ステップＳ２０４のＹｅｓ）。そして、このフローは、ステップＳ２０５に進む。
【００６１】
第２の所定時間内に行動記録が入力されないとき（ステップＳ２０４のＮｏ）、制御部１６は、測定された第１の血流状態をログとして記録しないことを決定する（ステップＳ２１５）。この場合、制御部１６は、このフローを終了する。
【００６２】
第１の血流状態が測定されてから第１又は第２の所定時間内に行動記録が入力されたとき（ステップＳ２０２のＹｅｓ又はステップＳ２０４のＹｅｓ）、制御部１６は、行動記録として入力された運動終了時間から第３の所定時間内に、第２の血流状態が測定されたか否かを監視する（ステップＳ２０５）。第２の血流状態は、ユーザが運動を行った後の血流状態である。従って、第２の血流状態は、ユーザの運動の内容及び程度等に応じて変化する。ユーザが運動を行った場合、通常、汗をかくことにより水分が失われている。そのため、第２の血流状態は、第１の血流状態よりも悪い状態、すなわち、より「どろどろ」の状態となる傾向がある。
【００６３】
ユーザが運動を終了してから、第３の所定時間内に、血流センサ１１が血流状態を測定したとき、制御部１６は、第２の血流状態が測定されたと判断する（ステップＳ２０５のＹｅｓ）。そして、このフローは、ステップＳ２０８に進む。
【００６４】
一方、制御部１６は、第３の所定時間内に第２の血流状態が測定されていないと判断したとき（ステップＳ２０５のＮｏ）、リマインダとして表示部１２に第２の血流状態の測定を促す測定要求を表示する（ステップＳ２０６）。そして、制御部１６は、ユーザが運動を終了してから第４の所定時間内に、第２の血流状態が測定されたか否かを監視する（ステップＳ２０７）。第４の所定時間は、第３の所定時間よりも長い。
【００６５】
第４の所定時間内に、血流センサ１１が第２の血流状態を測定したとき、制御部１６は、第２の血流状態が測定されたと認識する（ステップＳ２０７のＹｅｓ）。そして、このフローは、ステップＳ２０８に進む。
【００６６】
一方、第４の所定時間内に第２の血流状態が測定されないとき（ステップＳ２０７のＮｏ）、制御部１６は、測定された第１の血流状態をログとして記録しないことを決定する（ステップＳ２１５）。この場合、制御部１６は、このフローを終了する。
【００６７】
ユーザが運動を終了してから第３又は第４の所定時間内に第２の血流状態が測定されたとき（ステップＳ２０５のＹｅｓ又はステップＳ２０７のＹｅｓ）、制御部１６は、ユーザに対して、水分補給を行うように指示を行う表示を、表示部１２に表示させる（ステップＳ２０８）。このとき、制御部１６は、第１及び第２の血流状態等に基づいて、補給すべき具体的な水分量を提示してもよい。
【００６８】
表示部１２における水分補給の指示を確認したユーザは、水分補給を行ったとき、運動に関する行動記録としての補給した水分量を、入力部１３を使用して入力する。制御部１６は、入力された補給水分量を受け付ける（ステップＳ２０９）。
【００６９】
次に、制御部１６は、第５の所定時間範囲内に、第３の血流状態を測定するよう指示を行う表示を、表示部１２に表示させる（ステップＳ２１０）。第５の所定時間範囲は、水分補給を行った後、補給した水分が血流に影響する時間の範囲である。すなわち、第５の所定時間範囲は、補給した水分が血中に十分にいきわたる時間から、補給した水分が血液中から失われ始めるまでの時間の範囲である。制御部１６は、ステップＳ２０９において補給水分量の入力を受け付けたときにユーザが水分補給を行ったものと推定して、補給水分量の入力を受け付けたときを基準に、第５の所定時間範囲を表示する。従って、第３の血流状態は、ユーザが、運動後、水分補給を行った結果の血流状態を示す。第３の血流状態は、第１の血流状態と比較して、運動の影響により改善されていることが想定される。
【００７０】
次に、制御部１６は、第６の所定時間範囲内に第３の血流状態が測定されたか否かを監視する（ステップＳ２１１）。第６の所定時間範囲は、第５の所定時間範囲内の任意の時間範囲である。
【００７１】
ユーザが、第６の所定時間範囲内に、血流センサ１１が血流状態を測定したとき、制御部１６は、第３の血流状態が測定されたと判断する（ステップＳ２１１のＹｅｓ）。そして、このフローは、ステップＳ２１４に進む。
【００７２】
一方、制御部１６は、第６の所定時間内に第３の血流状態が測定されていないと判断したとき（ステップＳ２１１のＮｏ）、リマインダとして表示部１２に第３の血流状態の測定を促す測定要求を表示する（ステップＳ２１２）。そして、制御部１６は、第５の所定時間範囲内に、第３の血流状態が測定されたか否かを監視する（ステップＳ２１３）。
【００７３】
第５の所定時間内に、血流センサ１１が血流状態を測定したとき、制御部１６は、第３の血流状態が測定されたと認識する（ステップＳ２１３のＹｅｓ）。そして、このフローは、ステップＳ２１４に進む。
【００７４】
一方、第５の所定時間内に第３の血流状態が測定されないとき（ステップＳ２１３のＮｏ）、制御部１６は、測定された第１及び第２の血流状態をログとして記録しないことを決定する（ステップＳ２１５）。この場合、制御部１６は、このフローを終了する。
【００７５】
第５の所定時間内に第３の血流状態が測定されたとき（ステップＳ２１１のＹｅｓ又はステップＳ２１３のＹｅｓ）、制御部１６は、第１の血流状態、第２の血流状態及び第３の血流状態と、行動記録とを対応付けて、ログとして記録部１４に記録する（ステップＳ２１４）。
【００７６】
なお、運動に関する行動記録と対応付けられるログは、水分補給後の血流状態（第３の血流状態）を必ずしも含む必要はない。例えば、図４に示すフローにおいて、第２の血流状態が測定されたときに、制御部１６が水分補給の指示の表示（ステップＳ２０８）を行ったが、ユーザからの補給水分量の入力（ステップＳ２０９）がない場合には、制御部１６は、水分補給に関するフロー（ステップＳ２１０乃至ステップＳ２１３）をスキップし、第１及び第２の血流状態と、行動記録とを対応付けて、ログとして記録部１４に記録しても良い（ステップＳ２１４）。
【００７７】
運動に関する行動記録を入力する場合においても、食事に関する行動記録を入力する場合と同様に、電子機器１０は、行動記録と血流状態の変化とを対応付けて、ログとして記録を行う。運動による血流状態の変化の度合いは、ユーザによって異なるが、このようにログを蓄積することで、電子機器１０は、特定のユーザの傾向に基づいた行動アドバイスを提示できる。
【００７８】
ここで、運動に関する行動記録における、制御部１６が提示する行動アドバイスについて説明する。ユーザは、運動を行う場合、電子機器１０を使用して血流状態を測定する。そして、電子機器１０は、上述の図４で説明したフローを繰り返し、記録部１４にログを蓄積する。このようにして、記録部１４にログが蓄積された状態において、ユーザが、運動を行う前に血流状態を測定したとする。また、血流状態を測定した次の行動予定として、予めユーザが電子機器１０に入力することにより、運動を行うことが記憶部１５に記憶されているとする。このとき、制御部１６は、測定した最新の血流状態に基づき、記録部１４に蓄積されたログを参照して、血流状態を改善又は維持する行動アドバイスを提示する。
【００７９】
ここで、運動の内容が「ランニング」である場合について、具体的に説明する。例えば、記録部１４に記録されたログにおいて、ランニングを行う前に「どろどろ」であった血流状態が、１５分のランニングを行って水分補給をした場合に、「少しどろどろ」に変化するという傾向があるとする。また、記録部１４に記録されたログにおいて、ランニングを行う前に「どろどろ」であった血流状態が、３０分のランニングを行って水分補給をした場合に、「さらさら」に変化する傾向があるとする。このようなログが記録された状態において、ユーザが最新の血流状態を測定した結果、血流状態が「どろどろ」であったとする。このとき、制御部１６は、例えば、血流状態を改善させる目安となるランニングの時間を提示する。制御部１６は、具体的には、「現在の血流状態は、どろどろです。血流をさらさらにするために、ランニングを３０分以上行った後、水分補給を行いましょう。」等の行動アドバイスを提示する。
【００８０】
また、ランニング後の補給水分量によって血流状態の変化が異なる場合がある。従って、制御部１６は、行動アドバイスにおいて、推奨する補給水分量を提示してもよい。例えば、記録部１４に記録されたログにおいて、３０分のランニング後に「どろどろ」であった血流状態が、５００ｍｌの水分の補給した場合に「少しどろどろ」に変化する傾向があるとする。また、記録部１４に記録されたログにおいて、３０分のランニング後に「どろどろ」であった血流状態が、７５０ｍｌの水分の補給した場合に「さらさら」に変化する傾向があるとする。このようなログが記録された状態において、ユーザが、３０分のランニングを行った後に、最新の血流状態を測定した結果、血流状態が「どろどろ」であったとする。このとき、制御部１６は、例えば、図４のフローのステップＳ２０９において、血流状態を改善させる目安となる補給水分量を提示する。制御部１６は、具体的には、「現在の血流状態は、どろどろです。血流をさらさらにするために、７５０ｍｌ以上の水分補給を行いましょう。」等の行動アドバイスを提示する。
【００８１】
以上説明したように、電子機器１０は、ユーザの行動記録とその前後における血流状態の変化とを対応付けたログを記録部１４に記録する。そして、電子機器１０は、最新の血流状態に基づき、行動アドバイスを提示する。記録部１４に記録されたログは、ユーザの血流状態の変化の傾向を示すため、電子機器１０は、ログを参照することによって、ユーザの傾向に基づいた行動アドバイスを提示できる。そのため、この行動アドバイスを実行したユーザは、高い確率で血流状態を改善できることが期待できる。このようにして、電子機器１０は、ユーザにとって有用性の高い健康支援情報を提供できる。
【００８２】
また、ユーザが電子機器１０の記憶部１５に行動予定を記憶させていた場合には、電子機器１０は、ユーザが実行しようとする行動についての行動アドバイスを提示できる。そのため、電子機器１０は、ユーザの行動に即した行動アドバイスを提示できる。従って、電子機器１０は、さらに有用性の高い健康支援情報を提供できる。
【００８３】
なお、本発明は、上記実施の形態にのみ限定されるものではなく、幾多の変形又は変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００８４】
例えば、上述の実施の形態において、電子機器１０の例として、携帯電話機を示したが、電子機器１０は、他の任意の電子機器であってもよい。電子機器１０は、例えば、携帯型ミュージックプレイヤ、ノートパソコン、タブレット端末、ゲーム機などの多岐にわたる任意の電子機器とすることができる。
【００８５】
また、行動記録の入力方法は、入力部１３による入力に限定されない。例えば、食事内容の入力のために、電子機器１０は、さらにカメラを備えており、ユーザはカメラを使用して食事内容を入力してもよい。具体的には、ユーザは、入力部１３を使用して食事内容を入力する代わりに、カメラで食事を撮影することにより、食事内容を入力することができる。ユーザがカメラで食事を撮影した場合、制御部１６は、画像認識によって撮影画像に含まれる食事内容を判断する。このようにして、ユーザはカメラを使用して、食事内容を入力できる。カメラを使用することにより、ユーザは、より簡単に食事内容を入力できる。なお、制御部１６は、カメラで撮影された食事内容をネットワークを介して接続された外部サーバに送信し、この外部サーバが、画像認識によって撮影画像に含まれる食事内容を判断し、その判断結果をネットワークを介して電子機器１０に送信するとしても良い。
【００８６】
また、例えば、運動の程度の入力のために、電子機器１０は、さらに加速度センサを備えていてもよい。加速度センサは、電子機器１０に作用する加速度の方向及び大きさ等の加速度に関する情報を検出する。加速度センサにより検出された加速度に関する情報は、制御部１６に送信され、制御部１６は、受信した情報に基づいて、電子機器１０の所有者であるユーザの動作状態を推定する。例えば、電子機器１０は、加速度センサにより、ユーザがランニングした歩数を推定できる。制御部１６は、このようにして推定した歩数から、例えば、ユーザがランニングを行った距離を推定し、この距離を、ランニングの程度と認識してもよい。この場合、ユーザは、ランニングの程度を自ら入力することが不要となる。なお、制御部１６は、加速度センサにより検出された加速度に関する情報をネットワークを介して接続された外部サーバに送信し、この外部サーバが、加速度センサにより検出された加速度に関する情報に基づいて電子機器１０の所有者であるユーザの動作状態を推定し、その推定結果をネットワークを介して電子機器１０に送信するとしても良い。
【００８７】
また、血流センサ１１が最新の血流状態を測定したとき、制御部１６は、過去の行動記録を参照して、最新の血流状態の原因を表示部１２に表示してもよい。例えば、ユーザが夕食の前に、血流状態を測定したとする。このとき、例えば血流状態が「どろどろ」であった場合、制御部１６は、過去の食事に関する行動記録を参照して、血流状態が「どろどろ」である原因を推定する。具体的には、制御部１６は、例えば、同日の朝食及び昼食の食事に関する行動記録を参照して、例えば、肉類中心の食事を行ったために、血流状態が「どろどろ」であると推定する。そして、制御部１６は、推定した原因を、血流状態の測定結果と合わせて表示部１２に表示する。例えば、制御部１６は、「今日は肉類中心の食事を摂ったため、血流状態はどろどろです。」等のように表示を行う。このような表示を行うことにより、ユーザは、血流状態の原因を知ることができる。なお、制御部１６は、例えば、さらに前日の食事に関する行動記録又は運動に関する行動記録等を参照して、血流状態の原因を推定してもよい。
【００８８】
また、制御部１６は、行動記録のログの他、血流状態の変化に影響する任意の情報を参照して、行動アドバイスを表示してもよい。例えば、同じ内容のランニングを行った場合であっても、天気、気温及び湿度等により、ユーザの発汗量が変化する。そのため、天気、気温及び湿度等は、ユーザの血流状態の変化に影響する。この場合、制御部１６は、天気、気温及び湿度等を参照して行動アドバイスを表示してもよい。
【００８９】
制御部１６が天気、気温及び湿度等を参照して行動アドバイスを表示する場合、電子機器１０は、さらに、例えばＧＰＳ（Global Positioning System：全地球測位システム）等の位置検出部と、インターネット等に接続する通信部とを備える。電子機器１０は、位置検出部により、電子機器１０を所有するユーザの位置を特定する。そして、制御部１６は、通信部を介して、特定した位置における天気、気温及び湿度等の情報を取得する。制御部１６は、このようにして取得した情報を参照して、行動アドバイスを表示できる。これにより、電子機器１０は、さらに有用性の高い情報をユーザに提供できる。
【００９０】
また、上記実施の形態では、血流センサ１１、表示部１２、入力部１３、記録部１４、記憶部１５及び制御部１６の全ての機能部を１つの電子機器１０で実現するとして説明したが、本発明はこの態様に限定されるものではない。本発明は、例えば、図５に示すように、血流情報を測定し、行動アドバイスを表示する測定端末２０と、血流情報に基づいて、ログを参照して行動アドバイスを生成するサーバ３０とにより、健康支援システムとして構成できる。
【００９１】
このように、本発明を健康支援システムとして構成した場合、測定端末２０は、血流センサ２１において、血流情報を測定する。また、ユーザは、測定端末２０の入力部２３から行動記録及び行動予定等を入力する。測定された血流情報は、通信部２７から、測定端末２０と有線若しくは無線又はこれらの組合せからなるネットワークで接続されたサーバ３０に送信される。また、入力された行動記録等も通信部２７を介してサーバ３０に送信される。サーバ３０では、通信部３７を介して取得した行動記録と血流情報とを対応付けたログが、記録部３４に記録される。また、通信部３７を介して取得した行動予定が、記憶部３５に記憶される。そして、通信部３７を介して、測定端末２０から最新の血流情報を取得したとき、サーバ制御部３６は、血流状態を改善又は維持する行動アドバイスを生成し、通信部３７を介して測定端末２０に送信する。このようにして、サーバ制御部３６は、ユーザに行動アドバイスを提示する。
【００９２】
このように、本発明を健康支援システムとして構成した場合、全ての機能部を１つの電子機器１０で実現する場合に比べて、測定端末２０の小型化等を実現することができる。
【符号の説明】
【００９３】
１０  電子機器
１１、２１  血流センサ
１２、２２  表示部
１３、２３  入力部
１４、３４  記録部
１５、３５  記憶部
１６  制御部
２０  測定端末
２６  端末制御部
２７、３７  通信部
３０  サーバ
３６  サーバ制御部
【図１】
2015210539.tif 000003
【図２】
2015210539.tif 000004
【図３】
2015210539.tif 000005
【図４】
2015210539.tif 000006
【図５】
2015210539.tif 000007